Podtech/llm-jp-corpus-v4-ja_patent huggingface dataset:
(57)【要約】      （修正有）【課題】指先の大きい人でも容易に開蓋操作ができるプルトップ型容器の蓋を提供する。【解決手段】プルトップ型容器の蓋２に折れ曲がり部を有する薄肉帯状片２ａを一体成形し、この薄肉帯状片をプルトップの輪状部に通して引っ張ることにより特に道具を必要とすることなくプルトップ部を取り除くことが出来る。【選択図】図３
0003214388.tif 000002
【実用新案登録請求の範囲】
【請求項１】
蓋と一体成形され蓋の外形方向に突出する薄肉帯状片を有することを特徴とするプルトップ型容器の蓋。
【請求項２】
薄肉帯状片は途中に折れ曲がり部を有していることを特徴とする請求項１記載のプルトップ型容器の蓋
【請求項３】
薄肉帯状片の少なくとも片面に滑り止めとなる小突起を有することを特徴とする請求項１記載のプルトップ型容器の蓋。
【考案の詳細な説明】
【技術分野】
【０００１】
本考案は、一般のプルトップ型容器の蓋に関するものである。
【背景技術】
【０００２】
一般にプルトップ型容器と称されるものは、容器本体、内容部の取出し口、取出し口を
覆う蓋体から構成されている。
【０００３】
天面付近に設けられた取出し口の底付近には内容物が外へ出ないように内部との遮蔽壁
が設けられ、該遮蔽壁を除去することにより内容物が取り出せるように構成されている。
【０００４】
遮蔽壁を除去する手段としては、プルトップと呼ばれる輪状部を内部の遮蔽壁と一体
に形成し、輪状部を引き上げることにより遮蔽壁を取り除いて開口部を作り出すことが出来るように考案されている。遮蔽壁を取り除いた後は再び蓋体を装着することになる。
【０００５】
しかしながら、この輪状部の直径は指先が引っ掛かるように設定されているも、指のサ
イズは直径よりも大きいことが多く、道具を使用しないと輪状部と遮蔽壁を除去することが出来ない場合が多かった。
【先行技術文献】
【特許文献】
【０００６】
【特許文献−１】特許公開２０１１−１８４１００
【考案の概要】
【考案が解決しようとする課題】
【０００７】
本考案はプルトップ型容器の内部を遮蔽する遮蔽壁を除去しようとする場合、道具等を使用することなく、しかも簡単に操作を行うことが出来ることを目的としている。
【課題を解決するための手段】
【０００８】
上記課題を解決するため、本考案による蓋体には蓋体と一体に形成された薄肉帯状片が設けてある。
【０００９】
又、この帯状片には途中に折れ曲がり部が形成されており、プルトップの輪状部に通し易くなっている。
【００１０】
同時に薄肉帯状片は折れ曲がりやすいため、プルトップの輪状部に通した後は二つ折りにして親指と人差し指、等でつまんで、プルトップを引き上げることが出来るようになっている。
【００１１】
しかも、指でつまむ面には小突起等の滑り止めが施されており、プルトップ引き上げ時に滑り難くなっている。
【００１２】
上記にて形成された蓋体を容器本体とセットで設けることにより、指の大きい者であっても容易にプルトップ部と内部との遮蔽壁を除去できる。又特別の道具も必要としない。
【考案の効果】
【００１３】
本考案によると蓋体は本体と一対となって必ず存在するものである故、この蓋体に薄肉帯状片を一体成型することにより、特別な道具を使用せずとも、プルトップに薄肉帯状片を引っ掛けることによりプルトップ部と内部遮蔽壁を除去することができる。
【００１４】
薄肉帯状片途中には折れ曲がり部が設けてあるためプルトップ部に挿入し易くなっているとともに、この部分から曲げ易くなっている。
【００１５】
又、薄肉帯状片には滑り止めのための複数の小突起が設けられているため、プトップ部を引き上げる時に指が滑ることはない
【実施例】
【００１６】
図１は従来のプルトップ型容器を示す図、図２は本考案によるプルトップ型容器の斜視図、図３は本考案による蓋の構造を示す斜視図である。
【００１７】
このように構成された蓋体を使用するには、まず図４に示すように蓋体に設けられた薄肉帯状部をプルトップの輪状部に引っ掛けるように通す。
【００１８】
次に薄肉帯状部を折れ曲がり部から二つ折りにし、図５に示すように親指と人差し指でしっかり摘み上方へ引き上げることにより、プルトップ部と遮蔽壁を除去し図７のような状態にすることができる。
【００１９】
従って、特別な道具を使用することなくプルトップ部を除去することが出来る。
【図面の簡単な説明】
【００２０】
【図１】一般のプルトップ型容器を示す斜視図
【図２】本考案による蓋体が装着されたプルトップ型容器を示す斜視図
【図３】本考案による蓋体を示す詳細斜視図
【図４】本考案による蓋体がプルトップ輪状部に通された状態を示す斜視図
【図５】本考案による蓋体が使用される状態を示す斜視図
【図６】プルトップと遮蔽壁が除去される前の状態を示す斜視図
【図７】プルトップ型容器からプルトップと遮蔽壁が除去されたことを示す斜視図
【符号の説明】
【００２１】
１  プルトップ型容器本体
１−a 本体上の注ぎ口
１−b プルトップの輪状部
２  プルトップ型容器の蓋
２−a  蓋と一体成形された薄肉帯状片
２−b  薄肉帯状片上に設けられた小突起
３−c  折れ曲がり部
３  指
【図１】
0003214388.tif 000003
【図２】
0003214388.tif 000004
【図３】
0003214388.tif 000005
【図４】
0003214388.tif 000006
【図５】
0003214388.tif 000007
【図６】
0003214388.tif 000008
【図７】
0003214388.tif 000009
(57)【要約】      （修正有）【課題】組立工程を減らし、製造コストを下げるリールのヘチリール支持台構造を提供する。【解決手段】リールのヘチリール支持台構造は、主に支持台２の本体２０及び本体２０底端の固定台２２が複合材で一体成型する。本体２０の軸心位置のヘチリール３を支持する軸心２１は、金属部品で製造する。軸心２１の一端は本体２０で成型する時、本体２０の金型内に嵌入して一体成型する。【選択図】図４
0003214357.tif 000002
【実用新案登録請求の範囲】
【請求項１】
本体、軸心及び固定台を含むリールのヘチリール支持台構造において、
該軸心の一端は、該本体一側の中心に位置し、別一端は外向きに突出し、該固定台は該本体の底端に位置し、該本体と該固定台は、金型であり且つ複合材で一体成型し、該軸心は金属部品であり，一端は上述金型内に嵌入し該本体と連結成形し、別一端は該本体外から突出することを特徴とするリールのヘチリール支持台構造。
【考案の詳細な説明】
【技術分野】
【０００１】
本考案は、リールのヘチリール支持台構造に関するもので、特に組立工程を減らし、製造コストを下げる。
【背景技術】
【０００２】
リールは、釣具等物件に応用され、ラインを巻き上げるのに用いる。該リールは主に支持台及びヘチリールを含む。該ヘチリールは回転車輪形状で、ラインを巻き上げるのに用い、該支持台一側に設置した軸心を挿入設置する軸孔を備える。該支持台底端の固定台は、物件(例として釣り竿)を固定するのに用いる。公知ヘチリールの支持台１構造は、例として図１、２に示すとおりであり、それは本体１０、軸心１１及び固定台１２を含む。そのうち該本体１０中間部は、凹形状の嵌合槽１０１を備え、該軸心１１の一端は嵌合面１１０を備える。該嵌合面１１０は該嵌合槽１０１内に嵌入され、次に工具で押圧硬性結合し、該軸心１１一端を固定し、別一端は該本体１０の一側から突出し、ヘチリールの軸孔に挿入して設置する。該固定台１２は該本体１０の底端に結合し，物件(例として釣り竿)と連結するのに用いる。
【０００３】
上述の公知支持台１の該本体１０、該軸心１１及び該固定台１２の三部品は個別に成型後、組み立てる。
【考案の概要】
【考案が解決しようとする課題】
【０００４】
解決しようとする問題点は、製造上、組立工程が多いため、手間がかかり、更に製造コストが増えるという点である。当考案者は上記を鑑み、改良を重ね、遂に本考案を考案した。
【課題を解決するための手段】
【０００５】
本考案の主な特徴は、該支持台の本体及び該本体底端に設置する固定台は、複合材で一体成型する。また、該本体軸心位置のヘチリールを支持する軸心は金属で製造する。該軸心の一端を該本体に成形する時、該本体金型に嵌入して一体成型する。これら構造の設置によって、公知支持台部品の組立工程を減らし、製造コストを下げる。
【考案の効果】
【０００６】
本考案のリールのヘチリール支持台構造は、組立工程を減らし、製造コストを下げるという利点がある。
【図面の簡単な説明】
【０００７】
【図１】公知リールのヘチリール支持台の組立立体図である。
【図２】公知リールのヘチリール支持台の分解図である。
【図３】本考案の実施例の立体図である。
【図４】本考案の実施例の断面図である。
【考案を実施するための形態】
【０００８】
図３乃至４に示すとおり、本考案実施例として、ヘチリール３(例として図４参照)を支持するのに用いる支持台２は、本体２０、軸心２１及び固定台２２を含む。そのうち該軸心２１の一端は、該本体２０一側の中心に位置し、別一端は外向きに突出する。該固定台２２は該本体２０の底端に位置する。該本体２０と該固定台２２は金型であり、且つ複合材で一体成型する。該軸心２１は金属部品であり、一端は上述金型内に嵌入し、該本体２０と連結成形し、別一端は該本体２０外から突出する。
【０００９】
上述の支持台２成型後、該本体２０、該軸心２１及び該固定台２２は別に組み立てる必要がなく、組立工程を減らし，製造コストを下げることで公知と比較して進歩性を備える。
【００１０】
上述のとおり、本考案は新規性を備えるだけでなく、更に進?性を備えることから、法に基づき実用新案登録を申請する。
【符号の説明】
【００１１】
〈周知〉
１  支持台
１０  本体
１１  軸心
１２  固定台
１０１  嵌合槽
１１０  嵌合面
〈本考案〉
２  支持台
２０  本体
２１  軸心
２２  固定台
３  ヘチリール
【図１】
0003214357.tif 000003
【図２】
0003214357.tif 000004
【図３】
0003214357.tif 000005
【図４】
0003214357.tif 000006
(57)【要約】      （修正有）【課題】ケーブルやロープ、針金などの線状物、あるいは木材等の棒状物、あるいは竹材などの筒状物、ビニール袋の口などの袋状物などを容易に結束し、結束状態を長期間維持し、結束の緩みを吸収する結束具を提供する。【解決手段】線状の金属を用いて旋回部１を構成し、リング状の弾性体３をはめ込む。線状の金属の端に係止部２を設け、リング状弾性体３は被結束物を周回した後、係止部２にフックされる。【選択図】図１
0003214325.tif 000002
【実用新案登録請求の範囲】
【請求項１】
金属線を材料とし、一端に旋回部を、他端に係止部を設け、旋回部にリング状の弾性体をはめ込むことを特徴とする結束具
【請求項２】
金属線を材料とし、中間部に旋回部を、両端に係止部を設け、旋回部にリング状の弾性体をはめ込むことを特徴とする結束具
【請求項３】
金属線を材料とし、中間部に旋回部を、一端に係止部を設け、他端に係止解除部を設けて係止部に勘合させ、旋回部にリング状の弾性体をはめ込むことを特徴とする結束具
【考案の詳細な説明】
【技術分野】
【０００１】  本考案は、線状物、棒状物、筒状物、袋状物等を結束する結束具に関する。
【背景技術】
【０００２】  結束材料として、ゴムリングを使用することは、広く普及しているが、ゴム材料は周囲環境や、経時変化に対する耐久性に乏しく、長期間あるいは過酷な環境下での結束には適しておらず、もっぱら一時的な結束に使用されている。【０００３】  しかし、近年、ポリウレタンエラストマーやシリコンゴムを素材とした、周囲環境や、経時変化に対する耐久性を備えたリング状弾性体が開発されている。【０００４】  一方、結束帯としては面ファスナーや、インシュロックなども普及しているが、これらの結束帯は振動などのために結束後に緩みが生じやすいなどの欠点がある。
【背景技術】
【０００５】
【特許文献】実用新案  登録第３２１２４７０号
【考案の概要】
【考案が解決しようとする課題】
【０００６】  リング状の弾性体を用いて結束を行う場合は、巻き始め端部と巻き終わり端部を結合する構造が必要である。
【課題を解決するための手段】
【０００７】  線状の金属を用いて旋回部を構成し、リング状の弾性体をはめ込む。【０００８】  線状の金属の端に係止部を設け、リング状弾性体は被結束物を周回した後、係止部にフックされる。
【考案の効果】
【０００９】  リング状弾性体を旋回部にはめ込むことで、リング状弾性体の巻き始めの端部は旋回部から脱落することがなく、係止部にフックされた巻き終わり部は、容易に取り外すことが可能である。【００１０】  これによりリング状弾性体の巻き始め部と巻き終わり部を結合することができ、且つ、容易に結合と解除が可能となる。
【図面の簡単な説明】
【００１１】
【図１】考案を実施するための形態の説明図
【図２】第１実施例の説明図
【図３】第２実施例の説明図
【考案を実施するための形態】
【００１２】  図１の如く、旋回部１を備え、リング状弾性体３がはめ込まれる、一端に係止部２を備える。
【実施例】
【００１３】  図２は、本考案の第１実施例である。強度の高い、例えば真鍮や鉄の線材を用いて作成され、隙間を設けた旋回部１と、一端に係止部２を備え、旋回部１にリング状の弾性体３をはめ込む。他端には、第２係止部５を備える。【００１４】  リング状弾性体３は、被結束物４を周回したのち、係止部２にフックされる。【００１５】  他端の第２係止部５は、結束具全体を他の構造物やフック等に引っかけるために用いられる。【００１６】  図３は、本考案の第２実施例である。強度が高くバネ性がある、例えばステンレスや鋼の線材を用いて作成され、隙間を設けた旋回部１と、係止部２を備え、旋回部１にリング状の弾性体３をはめ込む。他端には、旋回構造の係止解除部６を備え、係止解除部６は係止部１に対してはめ込まれ、線材のバネ弾性にて係止部１の奥に押し当てられる。【００１７】  リング状弾性体３は、被結束物４を周回したのち、係止解除部６と係止部２にフックされる。【００１８】  係止解除部近傍の線材を内側すなわち図３の矢印方向に押すことにより、係止解除部６が係止部２にフックされていたリング状弾性体３を係止部２から押し出し、被結束物４の周囲から外れることにより、結束が解除される。
【産業上の利用可能性】
【００１９】  本考案は、ケーブルやロープ、針金などの線状物、あるいは木材等の棒状物、あるいは竹材などの筒状物、ビニール袋の口などの袋状物などを容易に結束し、結束状態を長期間維持し、結束の緩みを吸収する結束具を提供する。
【符号の説明】
【００２０】  １  旋回部
２  係止部
３  リング状弾性体
４  被結束物
５  第２係止部
６  係止解除部
【図１】
0003214325.tif 000003
【図２】
0003214325.tif 000004
【図３】
0003214325.tif 000005
(57)【要約】【課題】副作用のおそれがなく、生活意欲を回復することができる勃起不全改善器具を提供する。【解決手段】複数のマグネットボール２を男性性器が挿入可能な直径のリング状に磁着させ、弾性的に伸縮可能な被膜３で被覆して形成する。弾性的に伸縮自在な被膜３はシリコンゴムで構成する。【選択図】図１
0003214323.tif 000002
【実用新案登録請求の範囲】
【請求項１】
複数のマグネットボールを男性性器が挿入可能な直径のリング状に磁着させ、弾性的に伸縮可能な被膜で被覆して形成したことを特徴とする勃起不全改善器具。
【請求項２】
リングの内側がＳ極、外側がＮ極になるようにマグネットボールを配置したことを特徴とする請求項１記載の勃起不全改善器具。
【考案の詳細な説明】
【技術分野】
【０００１】  本考案は、加齢や精神的ストレスにより性交時に勃起しない状態や、勃起してもその持続ができず満足な性行為が行い難い状態を改善する勃起不全改善器具に関するものである。
【背景技術】
【０００２】  従来、男性性器の勃起不全の治療方法として、精神治療、薬物治療、薬剤注入、勃起補助具の使用がある。若い男性であっても、過剰なストレスや不規則な生活により勃起障害が起こる。勃起力を高める内服薬が多く出回っているが安全性の不確かなものが多く、また、心因性の問題ではなく糖尿病や心臓病等の危険な病気が潜んでいる可能性もある。【０００３】  精神治療は長期間を要するが効果が低いとされている。勃起補助具の使用は概して大げさな器具を必要とし、性行為の雰囲気を損なう面が大きい。また、薬物治療については、過去に多用されたビタミン類やホルモン剤に代わりバイアグラ（商品名）等が出現したことにより、有効率はかなり向上した。【０００４】  バイアグラ（商品名）等の経口内服薬はその作用機序が明らかになるとともに、ニトロ薬剤との相互作用による危険の大きさが認識されている。【０００５】  その他、特許文献１には、安定電極対形成能を有するトルマリン等の鉱物粒子を含む親水性膜を具備した、可撓性シートよりなる勃起不全改善器具が開示されている。また、特許文献２には、らせん形状をした補助具を陰嚢と陰茎に装着することにより、勃起角度及び勃起状態の維持、安定性の向上が可能となり、勃起障害による性行為の不成立を改善する性行為補助器具が開示されている。
【先行技術文献】
【特許文献】
【０００６】
【特許文献１】特開２００３−２２５２５２号公報
【特許文献２】特開２００７−２４４８３１号公報
【考案の概要】
【考案が解決しようとする課題】  本考案の目的は、副作用のおそれがなく、生活意欲を回復することができる勃起不全改善器具を提供することを目的とする。
【課題を解決するための手段】
【０００７】  このため本考案の勃起不全改善器具は、複数のマグネットボールを男性性器が挿入可能な直径のリング状に磁着させ、弾性的に伸縮可能な被膜で被覆して形成し、男性性器をこのリングに挿入して用いることを第１の特徴とする。また、リングの内側がＳ極、外側がＮ極になるようにマグネットボールを配置したことを第２の特徴とする。
【考案の効果】
【０００８】  本考案によれば、以下の優れた効果がある。
（１）勃起障害を改善することで、生活意欲を回復することができる。
（２）人体に悪影響を及ぼすことがない。
（３）性行為中に発生する磁気により女性側の血流促進の効果も期待できる。
（４）不要な又は有害な勃起障害を起こさない。
【図面の簡単な説明】
【０００９】
【図１】本考案に係る勃起障害改善器具の（ａ）は正面図、（ｂ）は（ａ）のＡ−Ａ線断面図である。
【図２】本考案に係る勃起障害改善器具を男性性器に装着した状態を示す模式図である。
【考案を実施するための形態】
【００１０】  以下、図面示す実施例に基づいて本考案の実施形態を説明する。
【実施例】
【００１１】  図１乃至図２に示すように、本考案の勃起不全改善器具１は複数のマグネットボール２を勃起する前の男性性器４が挿入可能な直径のリング状に磁着させ、弾性的に伸縮可能な被膜３で被覆して形成し、男性性器４をこのリングに挿入して用いるものである。【００１２】  本考案の勃起不全改善器具１において、被膜３は弾性的に伸縮自在なものとする。これは、リングを男性性器４に嵌める際および取り外す際、容易に着脱でき、また、使用者に痛みや不快な緊迫感を与えないために重要である。弾性的に伸縮自在な被膜３は、例えばシリコンゴムで構成することができる。【００１３】  磁着連結されるマグネットボール２の個数は、特に制限されないが均一な直径のマグネットボール２ばかりでなく、大小直径の異なるマグネットボールが一部又は交互に連結されものでもよい。【００１４】  本考案で使用するマグネットボール２としては、例えば、ネオジウム系磁石、サマリウム系磁石などの永久磁石が好ましい。そして、リングの内側がＳ極、外側がＮ極になるように配置するとなおよい。【００１５】  本考案の勃起不全改善器具１は、弾性的に伸縮自在に構成されているので、勃起する前の状態でも男性性器の頸部のくびれにかかって留まる。マグネットボール２から放射される磁気の作用で血流が促進されて、数分後には男性性器４が勃起する。性器の基部まで挿入して性器が勃起して膨張すれば、弾性的に収縮力により基部に固定される。そして、性行為終了時にも女性性器内に脱落することはない。また、コンドームを使用すればその中に残留するので、なおよい。【００１６】  直径約８ｍｍのマグネットボール２をリング状に磁着してシリコンゴムで被覆して勃起不全改善器具１を形成した。これを被験者の男性性器４に装着したところ、約１分後には勃起状態となった。マグネットボール２による磁力により、末梢血管の血流を促進させ、リングに挿入された男性性器の勃起を誘発したものと考察できる。このため副作用を伴わず、また、使用終了後男性性器から抜き去れば、不必要又は有害な勃起持続をも起こさない。また、このリングの内側に勃起前の男性性器４を挿入して使用するため、性行為の雰囲気損なうこともない。
【符号の説明】
【００１７】１    勃起不全改善器具
２    マグネットボール
３    被膜（シリコンゴム）
４    男性性器（陰茎）
【図１】
0003214323.tif 000003
【図２】
0003214323.tif 000004
(57)【要約】      （修正有）【課題】主に太陽光による車両のヘッドライトカバーの変色（主に黄ばみ）を防止するため、駐車時にヘッドライトカバーに簡易に着脱できる変色防止用シートを提供する。【解決手段】ヘッドライトカバー変色防止用シート１は、ヘッドライトカバーと略同一形状でかつ遮光性を有し、さらにシートの裏面１ｂにはヘッドライトカバー表面への貼り付け手段として必要箇所に吸盤２または弱粘着性接着糊３を用いる。【選択図】図３
0003214321.tif 000002
【実用新案登録請求の範囲】
【請求項１】
車両のヘッドライトカバー変色防止用シートであって、前記シートは、ヘッドライトカバーと略同一形状でかつ遮光性を有し、さらに前記シートの裏面にはヘッドライトカバー表面への貼り付け手段を備えたことを特徴とする車両のヘッドライトカバー変色防止用シート。
【請求項２】
請求項１記載のヘッドライトカバー表面への貼り付け手段は、前記シートの裏面の左右両端部、上下両端部の少なくともいずれか１つに取り付けた吸盤であることを特徴とする車両のヘッドライトカバー変色防止用シート。
【請求項３】
請求項１記載のヘッドライトカバー表面への貼り付け手段は、前記シートの裏面の全周端部、上下両端部、左右両端部、上下の中央部の少なくともいずれか１つの全範囲または所定の間隔でスポット的に塗布した弱粘着性接着糊であることを特徴とする車両のヘッドライトカバー変色防止用シート。
【請求項４】
請求項１乃至請求項３記載のヘッドライトカバー変色防止用シートの形状は、ヘッドライトカバーの外観形状を模した立体形状であることを特徴とする車両のヘッドライトカバー変色防止用シート。
【考案の詳細な説明】
【技術分野】
【０００１】  本考案は、車両のヘッドライトカバーの主に太陽光による変色（黄ばみ、曇り、くすみ）を防ぐためのシートに関するものである。
【背景技術】
【０００２】  近年、車両のヘッドライトカバーの素材は、ヘッドライトの光源の変化、デザインの自由度、耐衝撃性の向上、車両の軽量化などのため、ガラス製からポリカーボネートなどの樹脂製になってきている。
【先行技術文献】
【特許文献】
【０００３】
【特許文献１】特開２０１３−２５２８４１号  公報
【考案の概要】
【考案が解決しようとする課題】
【０００４】  樹脂製の車両のヘッドライトカバーは、熱や太陽光（主に紫外線）の影響を受けやすく、長年使用すると分子構造に化学的な変化が起きて徐々に変色して（多くは黄ばんで）くるため、車両のオーナにとっては車全体が古臭く見えたり、またこの変色が進むと夜間での走行が光量不足で危険を伴うという課題もあった。【０００５】  ヘッドライトカバーの変色防止のため、特許文献１に記載のようにヘッドライトをやや大きめのカバー（シート）で覆う発明がなされているが、シートの取り付けが煩雑で作業性が悪く、また、取り付け箇所が自動車本体（パネル部やバンパーなど）であるためこの部分に着脱時の残痕が付着して見栄えを損なうという問題があった。
【課題を解決するための手段】
【０００６】  本考案は、上記課題を解決するため、車両のヘッドライトカバー変色防止用シートであって、前記シートは、ヘッドライトカバーと略同一形状でかつ遮光性を有し、さらに前記シートの裏面にはヘッドライトカバー表面への貼り付け手段を備え、貼り付け手段として必要箇所に吸盤または弱粘着性接着糊を用いることを特徴としている。
【考案の効果】
【０００７】  本考案による車両のヘッドライトカバーの変色防止用シートを駐車時にヘッドライトカバーの表面にその外観形状に倣って貼り付ければ太陽光によるヘッドライトカバーの変色や劣化を防ぐことができる。また、シートの着脱についても簡易手段を用いているので簡単に行うことができまた可搬性もよい。更に、ヘッドライトカバーの全表面を覆う最小限の形状としてヘッドライトカバー自体に貼り付けるため車両本体（パネルやバンパーなど）に着脱痕が付着することがない。
【図面の簡単な説明】
【０００８】
【図１】本考案に係る変色防止用シートの一実施例（吸盤使用）で、Ａは表面、Ｂは裏面を示す。
【図２】本考案に係る変色防止用シートの一実施例（弱粘着性接着糊使用）で、Ａは表面、Ｂは裏面を示す。
【図３】本考案に係る変色防止用シートの応用例で、Ａは表面、Ｂは裏面を示す。
【考案を実施するための形態】
【０００９】  以下、本考案に係る変色防止用シートの一実施の形態について、図１乃至図３に基づいて説明する。
【００１０】  変色防止用シート１は遮光性を有するものであれば素材を問わないが、実施例では厚めの発泡ポリエチレンアルミ蒸着フィルムを用いている。柔らかい素材なのでヘッドライトカバーに倣い易く、また使用後に簡単に折り畳むことができ可搬性がよい。
【００１１】    また、変色防止用シート１の形状・サイズは、ヘッドライトカバー全表面を覆うことができる最小限の形状・サイズでよいが、請求項４に記載のようにヘッドライトカバーの外観形状を模した立体形状としてもよい。立体形状とすれば、ヘッドライトカバーへの遮光性が増すとともに、更に好みに応じて表面に図柄を付せば美感が向上し、いわゆるマイシートとすることができる。
【００１２】  図１のＢに示す吸盤２は市販の着脱のしやすい小型のものがよく、この図は左右両端に取り付けているが、ヘッドライトカバーの形状・サイズに応じて請求項２に記載のように、左右両端部、上下両端部の少なくともいずれか１つに取り付けてもよい。変色防止用シート１への吸盤２の取り付け固定は、変色防止用シート１の取付け穴の周囲を図示しない補強材により強固に固定している。
【００１３】  一方、ヘッドライトカバーへの変色防止用シート１の貼り付け手段としての弱粘着性接着糊３の塗布は、例えば図２のＢに示すようにシートの中央付近の一定範囲（３ａ）に行ってもよいし、ヘッドライトカバーの形状・サイズに応じて請求項３に記載のように、全周端部、上下両端部、左右両端部、上下の中央部の少なくともいずれか１つの全範囲または所定の間隔でスポット的に塗布してもよい。
【００１４】  なお、変色防止用シート１のヘッドライトカバーへの貼り付け手段としての吸盤２又は弱粘着性接着糊３は単独で使用してもよいし、これらを図３に示すように組み合わせて使用してもよい。また、弱粘着性接着糊３に替えて弱粘着性の両面テープを用いてもよい。
【００１５】  変色防止用シート１のヘッドライトカバーへの貼り付けは、このシート１の裏面１ｂをヘッドライトカバー側に向け、ヘッドライトカバー全面を覆うように位置合せてして行う。また、使用後に変色防止用シート１を剥がすときは、このシート１の左右端部を手で持ち、同時又は片側より順次行う。
【符号の説明】
【００１６】１    変色防止用シート
１ａ  変色防止用シート表面
１ｂ  変色防止用シート裏面
２    吸盤
３    弱粘着性接着糊
３ａ  弱粘着性接着糊の塗布範囲
４    吸盤フック側
【図１】
0003214321.tif 000003
【図２】
0003214321.tif 000004
【図３】
0003214321.tif 000005
(57)【要約】      （修正有）【課題】力を入れなくてもコインを容易に挿入し取出しが出来、高齢者にとっても便利であり、また不意に落としたとしてもコインが離脱して飛散することを防止できるコインケースを提供する。【解決手段】複数の種類のコインを、種類別に収容出来るコインケース１において、プラスチックまたはゴムで構成される本体１Ａに、少なくとも１枚以上のコインを収容できるコイン収容部２を、収容するコインの種類の数ほど設け、収容部に、コインを指で取り出し易くするための切欠き部３を設け、コインを挿入、取出しを行う挿入取出し部１０からコインの脱落を防止するため、コインケース本体に蓋板取付け部８を設け、蓋板取付け部に、挿入取出し部の開閉を行う蓋板７を設ける。【選択図】図２
0003214324.tif 000002
【実用新案登録請求の範囲】
【請求項１】
複数の種類のコインを、種類別に収容出来るコインケースにおいて、プラスチックまたはゴムで構成される本体に、少なくとも１枚以上のコインを収容できるコイン収容部を、収容するコインの種類の数ほど設け、概収容部に、コインを指で取り出し易くするための切欠き部を設け、コインを挿入、取出しを行う挿入取出し部からコインの脱落を防止するため、コインケース本体に蓋板取付け部を設け、概蓋板取付け部に、前記挿入取出し部の開閉を行う蓋板を設けて構成されるのを特徴とするコインケース。
【請求項２】
コインケースのコイン収容部で構成されているコイン収容ユニット２組を、収容底面どうしを突き合せて１面となる形態で構成される請求項１のコインケース。
【考案の詳細な説明】
【技術分野】
【０００１】  本考案は、複数の種類のコイン（硬貨）を、種類別に収容出来るコインケースに関する。
【背景技術】
【０００２】  従来、コインケース（またはコインホルダ）のコイン収容部からコインが脱落するのを防止するために、コインの挿入取出し部付近にプラスチックなどの弾性体を自然にコインが抜け落ちしない幅にて設けて脱落防止を図っていた。
又は、コインの挿入取出し部にばねなど弾性体を設けてコインを押圧することで脱落を防止していた。
したがって、これらの押圧力のため、高齢者がコインを取り出すのにある程度の力が必  要であるという欠点がみられた。
【先行技術文献】
【０００３】
【特許文献】
【０００４】
【特許文献１】特開：２０１５−０１３１０５号  コインホルダ  馬渕  平道
【特許文献２】特開：２０１４−２３３４６７号  コインホルダ  宮本伸一
【非特許文献】
【０００５】
【非特許文献１】有限会社ファルコン  コインホルダ販売サイト
【考案の概要】
【考案が解決しようとする課題】
【０００６】  従来のコインケースは脱落防止のため、コインを締め付けて脱落しないタイプが多く、したがってコインを取り出す場合に、この締め付け力の抵抗力により取り出しにくかった。またコインを締め付ける摩擦力のみによって保持されているので、コインホルダを不意に落とした場合はコインがコインケースから脱落して離散する恐れがあった。
【課題を解決するための手段】
【０００７】上記目的を達成するために、本考案はコインを押圧によって収容するのではなく、自然に収容出来る程度の幅の収容部と、コインの脱落を防止するための蓋板を設けることによってコインを保持し且つ、不意に落としてもコインが離散しないコインケースを構成する。
【考案の効果】
【０００８】    以上の説明から明らかなように、本考案にあっては次に列挙する効果が得られる。
力を入れなくてもコインを容易に挿入し、また取出し出来るので、高齢者にとっても便利であり、また不意に落としたとしてもコインがコインケースから離脱して飛散することを防止する。
【図面の簡単な説明】
【０００９】
【図１】本考案を実施するための第１の形態の平面図
【図２】本考案を実施するための第１の形態の正面図
【図３】本考案を実施するための第１の形態の側面図
【図４】本考案を実施するための第１の形態のＡ−Ａ線における断面図
【図５】本考案を実施するための第２の形態の正面図
【図６】本考案を実施するための第２の形態の側面図
【考案を実施するための最良の形態】
【００１０】  以下、図面に示す実施するための最良の形態により、本考案を説明する。
図１、図２、図３および図４に示す本考案の実施するための最良の形態において、１は本考案のコインケースであり、プラスチック、ゴムなどで形成された本体１Ａは平面図に示されるようにコイン収容ユニット１１が２組並列に合わさった形で形成される。
コイン収容ユニット１１は、コイン９を取り出すための切欠き部３と、コインの挿入取出し部１０と、ガイド部４からなるコイン収容部２とで形成される。
５はユニット仕切り板、６はコイン種別仕切り板、７は蓋板、８は蓋板取り付け部で、１２は蓋板固定部である。
蓋板固定部１２は凸状の軸を形成して概軸に蓋板７を取り付けてこれを回転させることにより挿入取出し部１０の開閉を行ことが出来る。
【考案を実施するための異なる形態】
【００１１】  図５、図６の本考案の第２の実施する形態において、前記第１の実施するための最良の形態と主に異なる点は、コイン収容ユニット１１を、収容底面１Ｂどうしを合わせ、蓋板７をそれぞれのコイン収容ユニット１１に設けて構成することにより薄い形となるので、ポケットに入れて使用するときなどに便利である。
【符号の説明】
【００１２】  １：コインケース                        １Ａ：本体
１Ｂ：収容底面                          ２：コイン収容部
３：切欠き部                            ４：ガイド部
５：ユニット仕切り板                    ６：コイン種別仕切り板
７：蓋板                                ８：蓋板取付け部
９：コイン                            １０：挿入取出し部
１１：コイン収容ユニット                １２：蓋板固定部
【図１】
0003214324.tif 000003
【図２】
0003214324.tif 000004
【図３】
0003214324.tif 000005
【図４】
0003214324.tif 000006
【図５】
0003214324.tif 000007
【図６】
0003214324.tif 000008
(57)【要約】      （修正有）【課題】マグネット型ブレスレットは装着しやすく便利だが、いつの間にか外れて紛失してしまったという問題が多々あり、その問題を防止できるブレスレットを提供する。【解決の手段】ブレスレット本体３の両サイド１、２にマグネット４、５を取り付け、さらに落下防止チェーン６を本体の両サイドに取り付ける。万が一マグネットが外れても手の甲でブレスレットがとどまり落下せず、紛失することが無くなる。【選択図】図１
0003214315.tif 000002
【実用新案登録請求の範囲】
【請求項１】
マグネット（４）（５）付きブレスレットの本体（３）の両サイド（１）（２）に落下防止チェーン（６）を取り付けたブレスレット。
【考案の詳細な説明】
【技術分野】
【０００１】この考案は、マグネット型ブレスレットの落下防止チェーン付きブレスレットに関するものである。
【背景技術】
【０００２】従来のマグネット型ブレスレットは留め具の替わりにマグネットを使用することで装着が簡易化されただけであった。
【考案の概要】
【考案が解決しようとする課題】
【０００３】従来のマグネット型ブレスレットは、片手で簡単に装着が可能なものの衝撃等でマグネットが外れてしまうと、いつの間にか腕から落ちて紛失してしまうという欠点があった。
本考案は、以上の様な欠点をなくすためになされたものである。
【課題を解決するための手段】
【０００４】ブレスレットの本体の両サイド（１）と（２）にチェーンを取り付ける。
本考案は、以上の構造によりなる落下防止チェーン付きマグネットブレスレットである。
【考案の効果】
【０００５】落下防止チェーンが付いていることで、マグネットが外れてしまった場合でも手の甲にブレスレットがとどまり、落ちない構造になっている。
マグネット型ブレスレットは片手でも着用しやすく昔から人気があったが、いつの間にか外れて紛失しやすいという声が多かった。
【図面の簡単な説明】
【０００６】
【図１】  本考案の全体図。
【図２】  本考案の金具部分のアップ。
【考案を実施するための形態】
【０００７】以下、本考案を実施するための形態を図面に基づいて説明する。
ブレスレット本体（３）の両サイド（１）（２）にマグネット（４）（５）を取り付け、さらに（１）（２）に落下防止チェーン（６）を取り付ける。
本考案は、以上の様な構造である。
これを使用するときは、マグネットを外した状態でブレスレットを手に通した後、マグネットを合わせることで装着が完了する。万が一外れてしまっても、手の甲でブレスレットがとどまるような構造になっている。
【符号の説明】
【０００８】１  ブレスレットの端
２  ブレスレットの端
３  ブレスレット本体
４  マグネット
５  マグネット
６  落下防止チェーン
【図１】
0003214315.tif 000003
【図２】
0003214315.tif 000004
(57)【要約】      （修正有）【課題】海水や湖水の水圧（高水圧）を利用することにより、発電機を作動させ発電する機能を有した水圧力発電システムを提供する。【解決手段】水圧力発電システムは、一定の深さの海水や湖水などにある高水圧の水を水圧管２から引き込み上部噴出口から放水することで発電機３の水車４を回転させ発電できるとともに、真空ポンプ５を設置することにより水車の格納室の気圧を真空に近い状態（０〜１気圧の範囲内）に下げたり上げたりするよう制御することで水圧管の上部噴出口の放水量（水圧力）を制御する。【選択図】図１
0003214319.tif 000002
【実用新案登録請求の範囲】
【請求項１】
一定の深さの海水や湖水などにある高水圧の水を水圧管から引き込み上部噴出口から放水することで発電機の水車を回転させ発電する構造と、真空ポンプにより水車の格納室の気圧を真空に近い状態（０〜１気圧の範囲内）に下げたり、上げたりするよう制御して水圧管の上部噴出口の放水量（水圧力）を制御する構造と、低温の深層水を送水管により冷房設備や養殖水として利用する構造を備えた循環式発電システムとしての特徴をもつ水圧力発電システム。
【考案の詳細な説明】
【技術分野】
【０００１】  本考案は、海水や湖水の水圧（高水圧）を利用することにより、発電機を作動させ発電する機能を有した水圧力発電システムに関するものである。
【背景技術】
【０００２】  火力発電システムや原子力発電システムなどでは、地球温暖化の原因や放射能汚染の危険性などがあり、自然エネルギーへの移行が高まる社会情勢において自然循環式の発電システムの開発が必要とされる。
【先行技術文献】
【０００３】
【特許文献】
【考案の概要】
【考案が解決しようとする課題】
【０００４】  本考案は、火力発電システムや原子力発電システムなどでは、地球温暖化の原因となったり、人災及び天災事故による放射能汚染の危険性があるために水圧力発電システムを提供することで前述の問題の解決を目的とするものである。
【課題を解決するための手段】
【０００５】  本考案は、上記課題を解決するための手段として次の構成を有している。
従来の水力発電システムとは異なり、海水や湖水の水圧（高水圧）を利用することにより、発電機を作動させ発電することを特徴としている。【０００６】  上記の水圧力発電システムは、海岸や湖岸などに水圧力発電システムを建設し、一定の深さの海水や湖水などにある高水圧の水を水圧管から引き込み上部噴出口から放水することで、発電機の水車を回転させ発電することができる。【０００７】  上記の水圧力発電システムは、真空ポンプを設置することにより水車の格納室の気圧を真空に近い状態（０〜１気圧の範囲内）に下げたり、上げたりするよう制御することで水圧管の上部噴出口の放水量（水圧力）を制御することができる。
【考案の効果】
【０００８】  本考案の水圧力発電システムは、従来の水力発電システムのように大規模なダムの建設の必要がなく、一定の深さの海水や湖水などを利用する循環式発電システムのため水源が枯渇することがないという効果がある。【０００９】  又、本考案の水圧力発電システムは、一定の深さの海水や湖水などを利用するため低温の深層水を施設の冷房設備や養殖水として利用できる効果がある。
【図面の簡単な説明】
【００１０】
【図１】本考案の水圧力発電システムの側面及び上平面からの断面図
【考案を実施するための形態】
【００１１】  図１を参照して本考案の実施例を説明すると、この実施例の水圧力発電システムは、海岸や湖岸などに建設し、一定の深さの海水や湖水などにある高水圧の水を水圧管から引き込み上部噴出口から放水することで発電機の水車を回転させ発電することができる機能を発揮するものである。
【実施例】
【００１２】  図１にある水圧力発電システム１は、海水や湖水などに設置された水圧管と発電機と真空ポンプと施設への送水管などを基本構成としている。【００１３】  図１にある水圧力発電システム１は、一定の深さの海水や湖水などにある高水圧の水を水圧管２から引き込み上部噴出口から放水することで発電機３の水車４を回転させ発電をすることができる。又、真空ポンプ５を設置することで水車４の格納室の気圧を真空に近い状態（０〜１気圧の範囲内）に下げたり、上げたりするよう制御して水圧管２の上部噴出口の放水量（水圧力）を制御することができる。又、低温の深層水を送水管６により冷房設備や養殖水として利用することができる。
【符号の説明】
【００１４】１は水圧力発電システム、２は水圧管、３は発電機、４は水車、５は真空ポンプ、６は送水管である。
【図１】
0003214319.tif 000003
(57)【要約】【課題】  植物が健全に育つことを可能とする植物栽培器を提供すること。【解決手段】  植物栽培器１の本体１０を、軽石によって形成し、本体１０の上面１１から下面１２まで、孔部１３を連続して貫通させ、孔部１３の内側に、樹脂製の筒状体１６を挿通し、筒状体１６の上端１７を、本体１０の上面１１で開口させ、筒状体１６の下端１８を、本体１０の下面１２に開口させる。本体１０の下面１２から、自然石によって形成した錘２０を、銅線を介して垂下させる。この筒状体１６に、植物３０を収め、筒状体１６の上端１７から茎３１の上方部分を本体１０の上面１１側に伸ばして露出させ、筒状体１６の下端１８から、根３２を、本体１０の下面１２側に伸ばして露出させる。【選択図】  図１
0003214706.tif 000002
【実用新案登録請求の範囲】
【請求項１】
火山砕屑物である軽石からなる本体と、当該本体の上面から下面まで、当該本体を連続して貫通する孔部を有し、
前記孔部の内側に、樹脂製の筒状体が挿通されており、当該筒状体の上端が、前記本体の前記上面に開口し、当該筒状体の下端が、前記本体の前記下面に開口し、
前記本体の前記下面から、錘が垂下していることを特徴とする植物栽培器。
【考案の詳細な説明】
【技術分野】
【０００１】
本考案は、植物栽培器に関する。
【背景技術】
【０００２】
火山砕屑物の一種である軽石は、軽くて水はけが良く、また、水保ちも良いという性質を有する。この軽石の性質を利用して、植物を植えるための窪みを形成した軽石製の植木鉢が提唱されている（例えば、非特許文献１を参照）。
【先行技術文献】
【非特許文献】
【０００３】
【非特許文献１】軽石でミニ盆栽の鉢を作る方法  簡単！３０分で完成、［ｏｎｌｉｎｅ］、［平成２９年１１月５日検索］、インターネット＜ＵＲＬ：ｈｔｔｐ：／／ｓｈｉｒｉｔａｉ−ｂｌｏｇ．ｃｏｍ／ｍｉｎｉｂｏｎｓａｉ／ａｒｃｈｉｖｅｓ／９４５．ｈｔｍｌ＞
【考案の概要】
【考案が解決しようとする課題】
【０００４】
本願考案者は、鹿児島市の桜島で採取した軽石に孔を形成し、この孔に植物を植え、植物を育てようとした経験を有する。理由は不明であるが、植物の中には、短期間のうちに、葉や茎が黒変するものや、元気を失うものが出た。
本考案は、上記問題の解決するものであり、目的とするところは、植えた植物が、元気良く健全に育つことを可能とする植物栽培器を提供することである。
【課題を解決するための手段】
【０００５】
本考案は、その課題を解決するために以下のような構成をとる。請求項１の考案に係る植物栽培器は、火山砕屑物である軽石からなる本体と、当該本体の上面から下面まで、当該本体を連続して貫通する孔部を有し、前記孔部の内側に、樹脂製の筒状体が挿通されており、当該筒状体の上端が、前記本体の前記上面に開口し、当該筒状体の下端が、前記本体の前記下面に開口し、前記本体の前記下面から、錘が垂下していることを特徴とする。
【考案の効果】
【０００６】
上記のような構成を有する植物栽培器であるので、この植物栽培器に植えた植物は、元気良く健全に育つことが可能である。
【図面の簡単な説明】
【０００７】
【図１】植物栽培器の断面説明図である。
【考案を実施するための形態】
【０００８】
本考案に係る植物栽培器１を、図１を参照しつつ説明する。
植物栽培器１は、本体１０を有する。本体１０は、鹿児島市の桜島で採取した火山砕屑物である軽石によって形成されている。
本体１０は、上面１１から下面１２まで連続して貫通する一本の孔部１３を有する。この孔部１３の内側には、樹脂製の筒状体１６が挿通されている。筒状体１６の上端１７は、本体１０の上面１１において開口しており、筒状体１６の下端１８は、本体１０の下面１２において開口している。
本体１０の下面１２から、錘２０が、例えば銅線を介して下方に垂下している。錘２０は、例えば、自然石によって形成されている。
【０００９】
筒状体１６の内側には、植物３０の茎３１が収められている。筒状体１６の上端１７からは、茎３１の上方部分が、本体１０の上面１１側に伸びて露出している。また、筒状体１６の下端１８からは、茎３１の下方部分から生える根３２が、本体１０の下面１２側に伸びて露出している。
植物栽培器１は、池４０の水面４１に浮かべられている。
軽石によって形成された本体１０は、容易に水面４１に浮かぶ。本体１０の下面１２から錘２０が水中に垂下し、本体１０と、植物３０と、錘２０とが釣り合ってバランスをとっている。本体１０の上面１１は、水面４１よりも高く位置し、本体１０の下面１２は、水面４１下に位置し、植物３０の茎３１が、本体１０の上面１１から空気中に伸び、植物３０の根３２が本体１０の下面１２から水中に伸びている。
【００１０】
本願考案者が確認したところでは、植物栽培器１が池４０の水面４１に浮かんだ状態を数ケ月維持した後も、植物３０は、元気良く健全に生育を続けた。
本願考案者は、比較するため、比較用植物栽培器を作った。この比較用植物栽培器は、樹脂製の筒状体を有していない点を除けば、植物栽培器１と同じ構成を有する。植物栽培器１と同じ条件下、比較用植物栽培器の孔部に植物を直接収め、比較用植物栽培器を池の水面に浮かべ、植物の育成状態を観察した。極めて短期間のうちに、比較用植物栽培器の植物は、葉や茎が黒変して元気を失い、結局は枯れてしまった。
【産業上の利用可能性】
【００１１】
上記のような植物栽培器であるので、植物を、健全に育てることが可能であり、園芸の分野において有用である。
【符号の説明】
【００１２】
１  植物栽培器
１０    本体
１１    上面
１２    下面
１３    孔部
１６    筒状体
１７    上端
１８    下端
２０    錘
３０    植物
３１    茎
３２    根
４０    池
４１    水面
【図１】
0003214706.tif 000003
(57)【要約】      （修正有）【課題】食品を食べる際に生じる汚れとその不快感を緩和するとともに，お手拭きの携帯を忘れてしまうといった課題を解決するための食品用袋を提供する。【解決手段】従来の包装袋よりも横方向に長い原材料を用いて包装袋閉じ部に隣接する領域に、お手拭き本体４を収納する二重構造のお手拭き収納用空間２を形成する。【選択図】図２
0003214796.tif 000002
【実用新案登録請求の範囲】
【請求項１】
食品用袋本体と，
前記食品用袋本体の閉じ部に隣接した領域における空間と，
を有する食品用袋本体において，
前記空間は，
二重構造によってお手拭きを収納し，
糊付けによって本体から分離することを特徴とする食品用袋。
【考案の詳細な説明】
【技術分野】
【０００１】
本考案は、食品と共に食品を食べる際に手を拭くことができるお手拭きを提供する食品用袋に関する。
【背景技術】
【０００２】
従来、包装袋に梱包されている食品を食べる際には、手でつかむ、ないし指でつまんでたべることが一般的であった。
【０００３】
前段落記載の食べ方では、指先に食品の油分や調味料等が付着することによって不快に感じる、ノートパソコンや本といった物品を汚してしまう、自分の服などで拭かざるを得ない、という問題があった。
【０００４】
前段落記載の課題を解決するために、食品に触れることなく食べることができるような食品用袋が提案されている。
【０００５】
しかしながら、前段落記載の食品用袋は、梱包される食品の形体・種類・成分を必然的に限定するものであり、汎用性の高さに課題がある。
【０００６】
むしろ課題は食品を食べる際に汚れを落とすためのお手拭き(たとえば乾いたティッシュペーパ、ウェットティッシュ、布類など、食品で汚れた手や口などをきれいにできる物ならば何でも良い。) の携帯を忘れてしまうことにある。
【０００７】
加えて、前段落までにおいて指摘した問題は口や身の回りの物品といった、食品を食べる際に汚れる可能性が潜在的に存在するものに関しても同様である。
【先行技術文献】
【特許文献】
【０００８】
【特許文献１】実用新案登録第３１５３６９７号公報
【考案の概要】
【考案が解決しようとする課題】
【０００９】
本考案は、食品を食べる際にお手拭きを忘れるという問題を解決し、食品を食べる際の汚れという問題を解決するための、お手拭きを収納することができる食品用袋を提案することを目的にしている。
【課題を解決するための手段】
【００１０】
包装閉じ部に隣接した領域に二重構造による空間を設け、当該空間にお手拭きを収納することを可能とするとともに、糊付けによって当該部右上から二重構造部のフィルムを剥がれることを特徴とする食品用袋である。
【００１１】
請求項１記載の空間は袋の表面積の四分の一程度を有しており、お手拭きの収納に十分な空間を確保することが可能であることを特徴とする食品用袋。
【００１２】
請求項１記載の空間は従来の包装袋よりも横方向に長い原材料を用いて包装袋閉じ部に隣接する領域に包装袋本体と同一の素材を用いて二重構造として形成されることを特徴とする食品用袋。
【考案の効果】
【００１３】
本考案によれば、食品の消費者はお手拭きを忘れる、といった心配もなく、食品を食べることができる。なおかつ、食品製造業者は、汚れを作りにくい食品や特殊な形状の食品等を開発することなく従来の商品を販売することが可能である。
【図面の簡単な説明】
【００１４】
【図１】本考案袋の裏面図
【図２】お手拭き取出に関する説明図(裏面)
【図３】お手拭き取出に関する説明図(側面)
【図４】本考案袋の上面図
【考案を実施するための形態】
【００１５】
以下、本考案の具体的な実施形態について、図を参照しつつ説明する。
【００１６】
図１は本考案で提案する食品袋本体の裏面図である。本考案は、従来の食品用袋同様の開封用切込口１を有している。加えて、図１に示すようにお手拭き収納用二重構造形成部２は糊付けされており、図２および図３のように糊付け部分をはがすことで内部に収納されているお手拭き本体４を取り出し、使用者は食品３を食べながらお手拭きを利用することができる。
【００１７】
図４は本考案で提案する食品用袋本体の上面図である。従来の食品袋はその裏面においてフィルムを接着し、円筒状のパッケージを形成しているが、本考案で提案する包装袋では、接着される部分のフィルムを余らせ、包装袋の端に接着することで食品用収納用の空間を形成する。
【実施例】
【００１８】
野外で食品を食べる際や、デスクワークを行いながら食品を食べる際に、ティッシュなどの手を清潔に保つための道具が必要になりながらも携帯のし忘れで手を拭くことのできないケースが存在する。
【００１９】
本考案で提案する食品用袋によれば、あらかじめその二重構造部分にお手拭きが収納されることによって利用者は前段落記載の状況においても汚れを落とすことができる。
【符号の説明】
【００２０】
１開封用切込口
２お手拭き収納用二重構造形成部
３食品
４お手拭き本体
【図１】
0003214796.tif 000003
【図２】
0003214796.tif 000004
【図３】
0003214796.tif 000005
【図４】
0003214796.tif 000006